(57)【特許請求の範囲】
【請求項１】
空中での先端側（水中での下側）になる錘取り付け部を略円錐形状に形成し、この略円錐形状の上面部に、内部が餌収納部として構成される中空円筒形に形成され、該円筒形の周面を所定の大きさに切り欠いた開口部を含むカゴ本体を固定し、該円筒形のカゴ本体の外周と錘取り付け部の略円錐形状の外縁部の内周面との間に溝を形成する一方、前記カゴ本体の外径より大きい内径と該カゴ本体の長さより小さい長さを有しつつ該カゴ本体の外周面に摺動自在に取り付けられ、前記錘取り付け部側に摺動することで前記カゴ本体の前記開口部を閉じ、その反対側に摺動することで前記開口部を開ける円筒形の開閉蓋（外蓋方式）が前記溝に遊篏する構造とし、更に、前記浮釣り遠投カゴが着水して水中に沈んでいく際に、内部の空気を放出すると共に周囲の水を内部に漸次取り込む空気穴と、前記開閉蓋に設けられた浮力構造とを有し、前記空気穴を介して水が内部に取り込まれて前記遠投カゴ内の内圧と外圧としての水圧が均衡に達した時に、前記浮力構造により前記開閉蓋が上側に摺動することで前記開口部を開くことを特徴とする浮釣り遠投カゴ。
【請求項２】
請求項１に記載の浮釣り遠投カゴにおいて、前記浮力構造は、前記開閉蓋そのものに浮力のある部材を用いることで付与することを特徴とする浮釣り遠投カゴ。 
【発明の詳細な説明】
【技術分野】
【０００１】
本発明は、浮釣り遠投カゴに関し、特に、内部にコマセ等の餌を詰めて遠投し、水中にて内部の餌を放出することで撒き餌とすることができる浮釣り遠投カゴに関する。
【背景技術】
【０００２】
従来、海釣り等において、内部にコマセ等の餌を詰めて遠投し、水中にて内部の餌を放出することで撒き餌とすることができる浮釣り遠投カゴが用いられている（例えば、特許文献１、２参照）。  
【０００３】
特許文献１には、スライドプレートを移動することにより開口部を通して撒き餌等を海中等に放出することができるスライド式撒き餌カゴ装置が開示されており、このスライド式撒き餌カゴ装置では、カゴ本体の開口部とスライドプレートの開口部が重なることによって撒き餌を海中等に放出する構造である。しかし、遠投し着水する前の空中において、スライドプレートが移動しコマセ等の餌が空中に放出されてしまう虞がある一方、空中での放出は避けれても、海中等でスライドプレートが的確に移動して開口部同士がうまく重なるための構造上の工夫が無く、開口部も小さいので、オキアミ等の小さな撒き餌しか収納できない構造であった。  
【０００４】
また、特許文献２には、形状を円筒形にし収納口に上下スライドする開閉蓋を設けた浮釣り遠投カゴが開示されており、この浮釣り遠投カゴでは、中小型の活き餌又は生餌１尾を内部に収納し、これらの餌を損傷無く遠投着水させることを企図している。しかしながら、遠投し着水する前の空中において、空気抵抗等を受けて開閉蓋が開いてしまう虞があり、魚の棚まで届く前の水中を沈んでいく途中で餌が放出されてしまうことを防止する構造上の工夫はなされていない。
【先行技術文献】
【特許文献】
【０００５】
【特許文献１】実用新案登録第３１９０４７３号公報
【特許文献２】実用新案登録第３１６９０８２号公報
【発明の概要】
【発明が解決しようとする課題】
【０００６】
従来の浮釣り遠投カゴでは、遠投し着水する前の空中において、開閉蓋等が空気抵抗等により開いてしまうのを防止するという課題に着目した発明等は無かったため、そのための構造的工夫は考慮されていなかった。このため、実際には、内部に詰めたコマセ等の餌が空中に放出されてしまう可能性があり、餌が殆ど無い状態で水中に投下されてしまう事態も生じていた。この場合、数十メートル以上遠投する場合では、餌が空中で放出されてしまうのを肉眼で確認し難く、撒き餌が有効になされないにも拘らず、釣果を待つ無駄を生じる。また、空中では餌が放出されなくても、着水の衝撃等により、魚の棚まで届く前の水中を沈んでいく途中で餌が放出されてしまうものもあった。更に、着水の衝撃や水中の岩等に衝突することで破損してしまう場合もあり、その分を見越した代替品を予め用意して釣りに出かけねばならない不便さもあった。以上のような浮釣り遠投カゴの遠投や着水のさせ方にも巧拙があり、プロやベテランの釣り人は上手い投げ方や餌の詰め方により、魚の棚まで届いてから撒き餌を放出させるコツを心得ていることも多い。しかしながら、比較的初心者では、そのような熟練が要求される技を要求するのは酷である。  
【０００７】
本発明は上述のような事情から為されたものであり、その目的は、上記の問題点を解消し、初心者を含む万人にとって、遠投し着水する前の空中や着水後魚の棚まで届く前の途中で餌が放出されてしまうのを防止し易く、魚の棚まで届いてから餌を放出し易い浮釣り遠投カゴを提供することにある。
【課題を解決するための手段】
【０００８】
本発明者は、上記の問題点を解消することができる新たな浮釣り遠投カゴの構造について地道な実証的研究を鋭意重ねた結果、（１）コマセ等の餌の収納部と錘部分を一体化させることで、着水時の衝撃等に対する構造的強度を高められること、（２）先頭側から見て突起部分が無く、なめらかな形状とすることで、遠投時に空中で空気抵抗を受け難く開口窓が開くのを防止できること、（３）開口窓を適度の浮力構造のものにすることで、水中で魚の棚まで届いたら開口窓が開いて餌を放出可能となることを見出した。  
【０００９】
また、特に、（１）（２）の空気抵抗や衝撃対策について、空中での先端側（水中での下側）になる錘取り付け部を円錐形状に形成し、この円錐形状の底面部に円筒形のカゴ本体を固定し、その円筒形のカゴ本体の外周と錘取り付け部の円錐形状の外縁部との間に溝を形成する一方、前記円筒形のカゴ本体の周面に摺動可能に取り付けられ、前記錘取り付け部側に摺動することでカゴ本体の中空の餌収納部を閉じる円筒形の開閉蓋が前記溝に遊嵌する構造とすることで、遠投時に受ける空気抵抗や着水時の衝撃等によって前記開閉蓋が開いてしまう虞を解消し易くなる、（３）について、水中で遠投カゴ内の内圧と外圧（水圧）で水圧の差が生じるので、その水圧差が無くなることで開口部が開く構造とすることが可能であることも見出した。  
【００１０】
即ち、上記目的を達成するため、本発明の第１の浮釣り遠投カゴは、空中での先端側（水中での下側）になる錘取り付け部を略円錐形状に形成し、この略円錐形状の上面部に、内部が餌収納部として構成される中空円筒形に形成され、該円筒形の周面を所定の大きさに切り欠いた開口部を含むカゴ本体を固定し、該円筒形のカゴ本体の外周と錘取り付け部の略円錐形状の外縁部の内周面との間に溝を形成する一方、前記カゴ本体の外径より大きい内径と該カゴ本体の長さより小さい長さを有しつつ該カゴ本体の外周面に摺動自在に取り付けられ、前記錘取り付け部側に摺動することで前記カゴ本体の前記開口部を閉じ、その反対側に摺動することで前記開口部を開ける円筒形の開閉蓋（外蓋方式）が前記溝に遊篏する構造とし、更に、前記浮釣り遠投カゴが着水して水中に沈んでいく際に、内部の空気を放出すると共に周囲の水を内部に漸次取り込む空気穴と、前記開閉蓋に設けられた浮力構造とを有し、前記空気穴を介して水が内部に取り込まれて前記遠投カゴ内の内圧と外圧としての水圧が均衡に達した時に、前記浮力構造により前記開閉蓋が上側に摺動することで前記開口部を開くことを特徴とする。ここで、前記浮力構造は、開閉蓋そのものに浮力のある部材を用いることで付与しても良い。また、前記錘取り付け部の端面と前記開閉蓋は、溝や段差の無いつらに形成されていても良い。尚、前記カゴ本体内の後端部には、釣り糸との連結部がクッション部材を介して取り付けられているのが望ましい。  
【００１３】
本発明の浮釣り遠投カゴは、餌収納部を含むカゴ本体と、カゴ本体の外周面又は内周面を摺動可能な開閉蓋と、錘取り付け部とを備え、前記錘取り付け部と、カゴ本体と、カゴ本体を閉じた状態の開閉蓋とは、遠投カゴ全体の先頭側から見て、より径の大きくなる突起部分が無いか、又はなめらかに一体化された略円筒形状に構成されているので、（ａ）カゴ本体と錘取り付け部は、遠投時の空気抵抗等により開閉蓋が開いてしまうことが少ないので、遠投時に撒き餌がバラけない、（ｂ）水中で遠投カゴ内の内圧と外圧（水圧）で水圧の差が生じるので、その水圧差が無くなるまで開閉蓋が開かないで、魚の棚等に達し内圧と外圧としての水圧が均衡に達した時に前記浮力構造により開閉蓋が上側に摺動して餌収納部を開くので、効果的な撒き餌が可能である。また、実施形態として、（ｃ）針から餌が外れにくいという効果や、（ｄ）開口が大きめなので餌を収納し易いという効果も得られる。
【図面の簡単な説明】
【００１４】
【図１】本発明の第１の実施形態に係る浮釣り遠投カゴ（外蓋式）の構成を示す図であり、その開口蓋が閉じた状態の正面図である。
【図２】本発明の第１の実施形態に係る浮釣り遠投カゴ（外蓋式）の構成を示す図であり、その開口蓋が開いた状態を示す正面図である。
【図３】本発明の第１の実施形態に係る浮釣り遠投カゴ（外蓋式）の構成を示す図であり、その開口蓋が閉じた状態の断面図である。
【図４】本発明の第２の実施形態に係る浮釣り遠投カゴ（内蓋式）の構成を示す図であり、その開口蓋が閉じた状態の断面図である。
【図５】本発明の第２の実施形態に係る浮釣り遠投カゴ（内蓋式）の構成を示す図であり、その開口蓋が開いた状態の断面図である。
【発明を実施するための形態】
【００１５】
本発明の実施形態について図面を参照して説明する。図１乃至図３は、本発明の第１の実施形態の浮釣り遠投カゴ（外蓋式）の構成を示す図であり、図１は、その開口蓋が閉じた状態の正面図、図２は、その開口蓋が開いた状態を示す正面図、図３は、その開口蓋が閉じた状態の断面図である。本発明の第１の実施形態の浮釣り遠投カゴ（外蓋式）１０は、図１乃至図３に示すように、空中での先端側（水中では、図１乃至図３に示すように下側）になる錘取り付け部１２を略円錐形状に形成し、この略円錐形状の上面部１２Ｂに、内部が餌収納部１４Ａとして構成される中空円筒形に形成され、該円筒形の周面を所定の大きさに切り欠いた開口部１４Ｂを含むカゴ本体１４を固定して形成されている。錘取り付け部１２の先端には錘１２ａが一体的に取り付けられている。また、浮釣り遠投カゴ（外蓋式）１０には、該円筒形のカゴ本体１４の外周と錘取り付け部１２の略円錐形状の上側の環状周縁部１２ｃとの間に溝１６を形成する一方、カゴ本体１４の外径より大きい内径とカゴ本体１４の長さより小さい長さを有しつつカゴ本体１４の外周面に摺動自在に取り付けられ、錘取り付け部１２側に摺動することでカゴ本体１４の開口部１４Ｂを閉じ、その反対側に摺動することで開口部１４Ｂを開ける円筒形の開閉蓋１８（外蓋方式）が溝１６に遊篏する構造を有している。ここで、「遊嵌」とは、開閉蓋１８が溝１６に嵌った状態でも指で押さえて、くるくる回すことができ、また、浮釣り遠投カゴ１０を逆さにすれば開閉蓋１８が自重により溝１６から外れて反対側に落下する程度に嵌っている態様を意味する。尚、錘取り付け部１２の環状周縁部１２ｃには、図１及び図２に示すように、糸通し溝１７が形成されている。
【００１６】
ここで、本発明の第１の実施形態の重要な特徴の１つ目として、カゴ本体１４、開閉蓋１８及び錘取り付け部１２の３つの部材の外径（外形）関係は、開閉蓋１８（外蓋方式）が閉じた状態（図１と図３参照）で、空中での先端側（水中では、図１乃至図３に示すように下側）になる錘取り付け部１２の外径が最も大きく、開閉蓋１８は錘取り付け部１２より小さい外径で、カゴ本体１４は開閉蓋１８より小さい外径となり、換言すれば、空中での先端側（水中では、図１乃至図３に示すように下側）から後端側（水中では、図１乃至図３に示すように上側）に向かって、外径がより大きくなったような突起部分が無い（緩やかな段差状の尻すぼみ）の略円筒形に構成されている。更に、カゴ本体１４には、浮釣り遠投カゴ１０が
着水して水中に沈んでいく際に、内部の空気を放出すると共に周囲の水を内部に漸次取り込む空気穴１４Ｈが形成されている。また、開閉蓋１８は水に対する浮力構造を有するように、水に浮く素材で形成されている。尚、図１及び図２に示すように、カゴ本体１４の上部周面には、突起状のストッパ１９が形成されており、開閉蓋１８は、浮力により水中で上側にスライドしても、図２に示すように、ストッパ１９により停止される。以上により、本発明の第１の実施形態の重要な特徴の２つ目として、空気穴１４Ｈを介してカゴ本体１４内に水が取り込まれてカゴ本体１４内の内圧と外圧としての水圧が均衡に達した時に、上記の浮力構造により開閉蓋１８が上側に摺動することで開口部１４Ｂを開くように構成されている。以上の構成の浮釣り遠投カゴ（外蓋式）１０が、図３に示すように、連結具１１の一端側にクッションゴム１５を介して取り付けられる。尚、連結具１１の他端側の連結環（輪）１１aには、例えば、図示しない天秤が接続され、その天秤は釣り竿から伸長する道糸に接続されると共に、その天秤の腕の先端にはハリスを介して釣針が接続される。その釣針は、例えば、オキアミ等の付け餌が付けられた状態で、ハリス（の糸）を錘取り付け部１２の糸通し溝１７を介して開口部１４Ｂの隙間からコマセ等を収納した餌収納部１４Ａ内にいっしょに収納される。尚、カゴ本体１４の中空の内部は、略全体が餌収納部１４Ａとして構成されており、餌収納部１４Ａ内に収納されたコマセ等の餌が開口部１４Ｂが開くことで、カゴ本体１４内から放出されることで上記の撒き餌が実行されるようになっている。即ち、魚の棚に到達して開口部１４Ｂが開くと、餌収納部１４Ａ内からコマセ等が放出されると共に、ハリスを介した釣針もカゴ本体１４外に放出されることで、撒き餌がなされた中で、天秤を介して付け餌が付けられた釣針が浮遊することになる。尚、クッションゴム１５は、遠投時や着水時に浮釣り遠投カゴ１０と上述した天秤等との間にかかる衝撃を和らげる役目を果たす。
【００１７】
本発明の第１の実施形態の浮釣り遠投カゴ（外蓋式）１０は以上のように構成され、特に、その重要な特徴の１つ目として、空中での先端側（水中では、図１乃至図３に示すように下側）から後端側（水中では、図１乃至図３に示すように上側）に向かって、外径がより大きくなったような突起部分が無い（緩やかな段差状の尻すぼみ）の略円筒形に構成されている。従って、遠投し着水する前の空中において、突起部分が空気抵抗を受けることで開閉蓋が開いてしまう虞が無くなる。また、空中での先端側から後端側に向かって突起部分が無い緩やかな段差状に構成されているので、空中で風を受けて生じる乱流が開閉蓋１８部分を巻き込んで後端側にスライドさせてしまう虞が少なくなる。この結果、遠投し着水する前の空中で開閉蓋１８が後端側にスライドして餌が放出されてしまうのを防止し易い構造となっている。また、水中での下側から上側に向かって外径がより大きくなったような突起部分が無い緩やかな段差状に構成されているので、着水後魚の棚まで届く前の途中で、突起部分が水の抵抗を受けることで開閉蓋が開いてしまう虞が無く、水流が開閉蓋１８部分を巻き込んで上側にスライドさせてしまう虞が少なくなる。この結果、浮釣り遠投カゴ（外蓋式）１０は、着水後魚の棚まで届く前の途中で餌が放出されてしまうのを防止し易い構造にもなっている。更に、その重要な特徴の２つ目として、浮釣り遠投カゴ（外蓋式）１０では、空気穴１４Ｈを介してカゴ本体１４内に水が取り込まれてカゴ本体１４内の内圧と外圧としての水圧が均衡に達した時に、開閉蓋１８の浮力構造により上側に摺動することで開口部１４Ｂを開くように構成されているので、着水後魚の棚まで届く前の短時間に餌が放出されてしまうのを防止し易く、魚の棚まで届いてから餌を放出し易い構造にもなっている。更に、開閉蓋１８（外蓋方式）が溝１６に遊篏する構造を有し、開閉蓋１８が溝１６に嵌った状態でも指で押さえて、くるくる回すことができ、また、浮釣り遠投カゴ１０を逆さにすれば開閉蓋１８が自重により溝１６から外れて反対側に落下するようになっている。従って、浮釣り遠投カゴ１０を手元まで一旦回収し、再度コマセ等を詰めて遠投しようとする場合、仮にコマセ等の残餌が開閉蓋１８の内周面とカゴ本体１４の外周面との間に詰まっていても、開閉蓋１８をくるくる回し、或いは浮釣り遠投カゴ１０を逆さにしたりして、詰まった残餌を落としたり、水洗いし易くなっている。  
【００１８】
次に、本発明の第２の実施形態について図面を参照して説明する。図４及び図５は、本発明の第２の実施形態の浮釣り遠投カゴ（内蓋式）の構成を示す図であり、図４は、その開口蓋が閉じた状態の断面図、図５は、その開口蓋が開いた状態の断面図である。本発明の第２の実施形態の浮釣り遠投カゴ（外蓋式）２０は、図４及び図５に示すように、内部が餌収納部２４Ａとして構成される中空円筒形状のカゴ本体２４と円錐形状の錘取り付け部２２とを備え、カゴ本体２４と錘取り付け部２２が一体的に形成されている。錘取り付け部２２の先端には錘２２ａが一体的に取り付けられている。
【００１９】
ここで、本発明の第２の実施形態の重要な特徴の１つ目として、カゴ本体２４と錘取り付け部２２が一体的に形成されることで、遠投カゴ２０全体が空中での先端側（水中では、図４及び図５に示すように下側）から見て突起部分が無くなめらかな形状の略円筒形に構成されている。また、浮釣り遠投カゴ（内蓋式）２０には、カゴ本体２４の内周面に摺動可能に取り付けられ、錘取り付け部２２側に摺動することでカゴ本体２４の開口部２４Ｂを閉じ、その反対側に摺動することで開口部２４Ｂを開ける円筒形の開閉蓋（内蓋方式）２８が設けられている。更に、カゴ本体２４には、浮釣り遠投カゴ２０が着水して水中に沈んでいく際に、カゴ本体２４内の空気を放出すると共に周囲の水をカゴ本体２４内に漸次取り込む空気穴２４Ｈが形成されている。また、開閉蓋２８は水に対する浮力構造を有するように、水に浮く素材で形成されている。尚、図４及び図５に示すように、カゴ本体２４には、第１の実施形態のストッパ１９に相当するものは設けられていないが、開閉蓋２８は、カゴ本体２４の円筒形部の略半分弱の長さに形成されているので、浮力により水中で上側にスライドしても、図５に示すように、カゴ本体２４の円錐形に変化する部分に閊える（突き当たって上に進めなくなる）ことで停止される。以上により、本発明の第２の実施形態の重要な特徴の２つ目として、空気穴２４Ｈを介してカゴ本体２４内に水が取り込まれてカゴ本体２４内の内圧と外圧としての水圧が均衡に達した時に、上記の浮力構造により開閉蓋２８が上側に摺動することで開口部２４Ｂを開くように構成されている。以上の構成の浮釣り遠投カゴ（外蓋式）２０が、図４及び図５に示すように、連結具２１の一端側にクッションゴム２５を介して取り付けられる。尚、連結具２１の他端側の連結環（輪）２１aには、例えば、図示しない天秤が接続される等、その余の仕掛けの構成は、第１の実施形態と同様であるので、その説明は省略する。尚、クッションゴム２５は、遠投時や着水時に浮釣り遠投カゴ２０と図示しない天秤等との間にかかる衝撃を和らげる役目を果たすのも、第１の実施形態と同様である。
【００２０】
本発明の第２の実施形態の浮釣り遠投カゴ（内蓋式）２０は以上のように構成され、特に、その重要な特徴の１つ目として、空中での先端側（水中では、図４及び図５に示すように下側）から後端側（水中では、図４及び図５に示すように上側）に向かって、突起部分が無くなめらかな形状の略円筒形に構成されている。従って、遠投し着水する前の空中において、突起部分が空気抵抗を受けることで開閉蓋が開いてしまう虞が無くなる。また、空中での先端側から後端側に向かって突起部分が無くなめらかな形状の略円筒形に構成されているので、空中で風を受けて生じる乱流が開閉蓋２８部分を巻き込んで後端側にスライドさせてしまう虞が少なくなる。この結果、遠投し着水する前の空中で開閉蓋２８が後端側にスライドして餌が放出されてしまうのを防止し易い構造となっている。また、水中での下側から上側に向かって突起部分が無くなめらかな形状の略円筒形に構成されているので、着水後魚の棚まで届く前の途中で、突起部分が水の抵抗を受けることで開閉蓋が開いてしまう虞が無く、水流が開閉蓋２８部分を巻き込んで上側にスライドさせてしまう虞が少なくなる。この結果、浮釣り遠投カゴ（内蓋式）２０は、着水後魚の棚まで届く前の途中で餌が放出されてしまうのを防止し易い構造にもなっている。更に、その重要な特徴の２つ目として、浮釣り遠投カゴ（内蓋式）２０では、空気穴２４Ｈを介してカゴ本体２４内に水が取り込まれてカゴ本体２４内の内圧と外圧としての水圧が均衡に達した時に、開閉蓋２８の浮力構造により上側に摺動することで開口部２４Ｂを開くように構成されているので、着水後魚の棚まで届く前の短時間に餌が放出されてしまうのを防止し易く、魚の棚まで届いてから餌を放出し易い構造にもなっている。尚、第２の実施形態の浮釣り遠投カゴ（内蓋式）２０においても、開閉蓋２８（内蓋方式）は指で押さえて、くるくる回すことができ、また、浮釣り遠投カゴ２０を逆さにすれば開閉蓋２８が自重により反対側に落下するようになっている。従って、浮釣り遠投カゴ２０を手元まで一旦回収し、再度コマセ等を詰めて遠投しようとする場合、仮にコマセ等の残餌が開閉蓋２８の外周面とカゴ本体２４の内周面との間に詰まっていても、開閉蓋２８をくるくる回し、或いは浮釣り遠投カゴ２０を逆さにしたりして、詰まった残餌を落としたり、水洗いし易くなっている。尚、変形例として、カゴ本体２４を上下略半分ずつの２分割に構成し、一方の端部（上下で言う中央側）を他方の端部（上下で言う中央側）に圧入することで一体化するようにしても良い。この場合、上側の半分と下側の半分の材質や色を変えても良い。例えば、上側の半分を透明の樹脂で形成し、先端に錘取り付け部２２が形成された下側の半分に圧入することで一体化するようにしても良い。このように上側の半分を透明の樹脂で形成すると、コマセ等の餌収納部２４Ａ内への詰め具合を外部から観察することができるので、便利である。
【００２１】
以上のように、本発明の浮釣り遠投カゴは、餌収納部を含むカゴ本体と、カゴ本体の外周面又は内周面を摺動可能な開閉蓋と、錘取り付け部とを備え、前記錘取り付け部と、カゴ本体と、カゴ本体を閉じた状態の開閉蓋とは、遠投カゴ全体の先頭側から見て、より径の大きくなる突起部分が無いか、又はなめらかに一体化された略円筒形状に構成されているので、（ａ）カゴ本体と錘取り付け部は、遠投時の空気抵抗等により開閉蓋が開いてしまうことが少ないので、遠投時に撒き餌がバラけない、（ｂ）水中で遠投カゴ内の内圧と外圧（水圧）で水圧の差が生じるので、その水圧差が無くなるまで開閉蓋が開かないで、魚の棚等に達し内圧と外圧としての水圧が均衡に達した時に前記浮力構造により開閉蓋が上側に摺動して餌収納部を開くので、効果的な撒き餌が可能である。また、上記実施形態として、（ｃ）針から餌が外れにくいという効果や、（ｄ）開口が大きめなので餌を収納し易いという効果も得られる。従って、初心者を含む万人にとって、遠投し着水する前の空中や着水後魚の棚まで届く前の途中で餌が放出されてしまうのを防止し易く、魚の棚まで届いてから餌を放出し易い浮釣り遠投カゴが得られる。尚、空気穴１４Ｈや２４Ｈを設ける位置、その個数、及びその大きさは、図面中に示したものに限られず、任意の位置、個数及び大きさに設けることができる。
【符号の説明】
【００２２】
１０  浮釣り遠投カゴ（外蓋式）、  １１  連結具、  １１a  連結環（輪）、１２  錘取り付け部、  １２Ｂ  上面部、  １２ａ  錘、１２ｃ  環状周縁部、１４  カゴ本体、  １４Ａ  餌収納部、  １４Ｂ  開口部、  １４Ｈ  空気穴、１５  クッションゴム、１６  溝、  １７  糸通し溝、１８  開閉蓋（外蓋方式）、１９  ストッパ、  ２０  浮釣り遠投カゴ（内蓋式）、  ２１a  連結環（輪）、２２  錘取り付け部、２２ａ  錘、  ２４  カゴ本体、２４Ａ  餌収納部、２４Ｂ  開口部、２４Ｈ  空気穴、２５  クッションゴム、２８  開閉蓋（内蓋方式）
【要約】      （修正有）【課題】遠投し着水する前の空中や着水後魚の棚まで届く前の途中で餌が放出されてしまうのを防止し易い浮釣り遠投カゴを提供する。【解決手段】浮子釣遠投カゴ１０は、錘取り付け部１２と、内部に餌収納部１４Ａを含む中空のカゴ本体部１４と、カゴ本体部の周面を所定の大きさに切り欠いた開口部１４Ｂと、カゴ本体の内周面に摺動可能に取り付けられ、錘取り付け部側に摺動することで開口部を閉じ、その反対側に摺動することで開ける円筒形の開閉蓋（内蓋）１８が設けられ、更に、浮釣り遠投カゴが着水して水中に沈んでいく際に、内部の空気を放出すると共に周囲の水を内部に漸次取り込む空気穴１４Ｈと、開閉蓋に設けられた浮力構造とを有し、空気穴を介して水が内部に取り込まれてカゴの内圧と水圧が均衡に達した時に、浮力により開閉蓋が上側に摺動することで開口部を開く。【選択図】図２【図１】
0006843957.tif 000002
【図２】
0006843957.tif 000003
【図３】
0006843957.tif 000004
【図４】
0006843957.tif 000005
【図５】
0006843957.tif 000006